(57)【特許請求の範囲】
【請求項１】
光源を点灯させる点灯装置において、
前記光源の点灯出力を指示する点灯出力指示信号を入力し、入力した前記点灯出力指示信号に従った点灯出力で前記光源を点灯させる光源点灯回路と、
前記点灯装置が固有のインピーダンスを有する照明器具本体に電気的に接続されると、前記固有のインピーダンスに応じた対応信号を出力する対応信号出力部と、
前記対応信号出力部から前記対応信号を入力し、入力した前記対応信号が所定の値の場合に、前記対応信号に応じた前記点灯出力指示信号を生成し、生成した前記点灯出力指示信号を前記光源点灯回路に出力する制御部と
を備えたことを特徴とする点灯装置。
【請求項２】
前記対応信号出力部は、
前記点灯装置が前記照明器具本体に電気的に接続されていない非接続状態の場合には、前記非接続状態に応じた信号を前記対応信号として出力し、
前記制御部は、
前記対応信号出力部から前記非接続状態に応じた前記対応信号を入力し、入力した前記対応信号に応じた前記点灯出力指示信号を生成し、生成した前記点灯出力指示信号を前記光源点灯回路に出力することを特徴とする請求項１記載の点灯装置。
【請求項３】
前記制御部は、
前記対応信号の信号値と前記点灯出力指示信号の信号値との組が複数登録されたテーブルを不揮発的に記憶する記憶部を備えると共に、前記対応信号出力部から前記対応信号を入力すると、前記テーブルを対象として、入力された前記対応信号の信号値に対応する前記点灯出力指示信号の信号値を検索し、検索の結果ヒットした場合には、ヒットした信号値の前記点灯出力指示信号を生成することを特徴とする請求項１または２のいずれかに記載の点灯装置。
【請求項４】
前記点灯装置が電気的に接続される前記照明器具本体は、
前記固有のインピーダンスが、特定のインピーダンス素子の有するインピーダンスであることを特徴とする請求項１〜３のいずれかに記載の点灯装置。
【請求項５】
前記点灯装置が電気的に接続される前記照明器具本体は、
前記固有のインピーダンスが、前記照明器具本体自体のインピーダンスであることを特徴とする請求項１〜３のいずれかに記載の点灯装置。
【請求項６】
点灯装置を備えた照明器具において、
固有のインピーダンスを有する照明器具本体を備え、
前記点灯装置は、
光源の点灯出力を指示する点灯出力指示信号を入力し、入力した前記点灯出力指示信号に従った点灯出力で前記光源を点灯させる光源点灯回路と、
前記点灯装置が前記照明器具本体に電気的に接続されると、前記固有のインピーダンスに応じた対応信号を出力する対応信号出力部と、
前記対応信号出力部から前記対応信号を入力し、入力した前記対応信号が所定の値の場合に、前記対応信号に応じた前記点灯出力指示信号を生成し、生成した前記点灯出力指示信号を前記光源点灯回路に出力する制御部と
を備えたことを特徴とする照明器具。
【発明の詳細な説明】
【技術分野】
【０００１】
この発明は、光源を点灯させる点灯装置及び点灯装置を備えた照明器具に関する。
【背景技術】
【０００２】
近年、照明器具等は、同一種類の放電灯等を点灯させる器具においても、使用環境、デザイン性の違いから、様々な種類の照明器具が存在する。違う照明器具においても、同一種類の放電灯等を同様の点灯出力で点灯させるのならば、基本的に一種類の点灯装置で点灯させればよい。また、照明器具の光源のばらつきにより、明るさにバラつきがでることもあり、例えば、照明器具内に照度センサを搭載して、明るさ制御を行っていた（例えば、特許文献１参照。）。
【先行技術文献】
【特許文献】
【０００３】
【特許文献１】特開２００５−１２３１５２号公報（段落「００１２」〜段落「００１６」、図１〜３参照。）
【発明の概要】
【発明が解決しようとする課題】
【０００４】
しかしながら、そもそも同一種類の放電灯を同様の出力で同様の点灯装置で点灯させようとしても、器具形状等の違いによって、実際の放電灯等の点灯出力は変わってくることがあった。
【０００５】
そのため、器具形状などの違いに合わせて点灯装置の点灯出力を設定する必要があった。
【０００６】
また、同一の放電灯等を同様の出力で同様の点灯装置で点灯させても、実際に目に見える明るさが変わってくることがある。例えば、放電灯では、周囲温度により放電灯の持つインピーダンスが変動することによる。そのため、例えば、点灯装置が一定の電流等を出力した場合、点灯出力は電力に依存するため、結果、点灯出力が変動する。
【０００７】
そのため、同一のランプ電流で放電灯が点灯しても、照明器具の形状で、放電灯の周囲温度は変わってくることにより、点灯出力は変動してしまう。また、照明器具自体の形状によっても、そもそもの発光部である光源の配置によっては、見た目の明るさは変わっていた。
【０００８】
従って、同一の放電灯等の光源を同一の明るさで点灯させるためには、実際には器具それぞれの適した点灯装置の仕様が存在することになる。また、それぞれの照明器具のデザイン思想おいて考えると、それぞれの違う照明器具では一律の明るさを出すのではなく、それぞれのデザインに適した明るさを点灯装置は出力すべきとも考えられるが、その際も同様に、器具それぞれに適した点灯装置の出力仕様が存在する必要があった。
【０００９】
それぞれの照明器具に適した照度を得るために、照度センサを設けて、照明器具の光源を測定して、点灯装置の点灯出力を制御する方法もあるが、照度センサは高価である。また、照度センサは、光源の照度を測定するものであるため、照明器具の違いは判別できない。それぞれのデザインに適した明るさに制御するという点で、照度センサでは対応することができなかった。
【００１０】
本発明は、器具形状ごとに固有のインピーダンスを検出し、このインピーダンスにあわせて点灯出力を自動的に切り換える点灯装置の提供を目的とする。
【課題を解決するための手段】
【００１１】
本発明の点灯装置は、光源を点灯させる点灯装置において、前記光源の点灯出力を指示する点灯出力指示信号を入力し、入力した前記点灯出力指示信号に従った点灯出力で前記光源を点灯させる光源点灯回路と、前記点灯装置が固有のインピーダンスを有する照明器具本体に電気的に接続されると、前記固有のインピーダンスに応じた対応信号を出力する対応信号出力部と、前記対応信号出力部から前記対応信号を入力し、入力した前記対応信号が所定の値の場合に、前記対応信号に応じた前記点灯出力指示信号を生成し、生成した前記点灯出力指示信号を前記光源点灯回路に出力する制御部とを備えたことを特徴とする。
【発明の効果】
【００１２】
本発明によれば、光出力の異なるそれぞれの照明器具に同じ点灯装置を搭載することができる。また本発明によれば、点灯装置が、照明器具に搭載されたか否かも判定できる。
【図面の簡単な説明】
【００１３】
【図１】実施の形態１における照明器具１０００Ａの斜視図。
【図２】実施の形態１における点灯装置１００ａの照明器具本体２００への取付状態を示す斜視図。
【図３】図２において照明器具本体２００の取付後を示す図。
【図４】実施の形態１における点灯装置１００ａの回路図。
【図５】実施の形態１における点灯出力演算回路１０の動作のフローチャート。
【図６】実施の形態１におけるテーブル１２を示す図。
【図７】実施の形態１におけるインピーダンス検知回路２０に発生する電圧Ｖの発生箇所を説明する図。
【図８】実施の形態１におけるインピーダンス検知回路２０に発生する電圧Ｖを示す図。
【図９】実施の形態１におけるインピーダンス検知回路２０に発生する電圧Ｖを示す別の図。
【図１０】実施の形態１におけるインピーダンス検知回路２０に発生する電圧Ｖを示すさらに別の図。
【図１１】実施の形態１における照明器具１０００Ｂに内蔵される点灯装置１００ｂの回路図。
【発明を実施するための形態】
【００１４】
実施の形態１．
図１の（ａ）は、実施の形態１の照明器具１０００Ａの斜視図であり、図１の（ｂ）は、照明器具１０００Ａの分解斜視図である。
【００１５】
図１の（ａ）、（ｂ）に示すように、照明器具１０００Ａは、照明器具本体２００と、放電灯（蛍光ランプ）ＬＡ１が着脱可能に取り付けられるランプソケット２０３と、放電灯ＬＡ１が発する光を反射する反射板２２０と、商用電源ＡＣが入力され放電灯ＬＡ１を点灯する点灯装置１００ａと、照明器具本体２００に取り付けられる器具固有インピーダンス２１０とを備えている。
【００１６】
図２は、点灯装置１００ａを照明器具本体２００側に取り付ける様子を示す斜視図であり、図３は図２の取り付け後を示す図である。図２あるいは、図３に示すように、点灯装置２００ａ側は、点灯装置外形ケース１０１ａが点灯装置基板１０３ａを収納している。点灯装置基板１０３ａには電源端子１０２ａが取り付けられている。点灯装置外形ケース１０１ａと点灯装置基板１０３ａとは、アースラグ端子Ｇを介して接続用ネジ３０１によって電気的に接続されている。一方、照明器具本体２００側では、照明器具本体２００（導電性素材）上に設けられた点灯装置固定ステージ支え２０２（非導電性素材））によって、点灯装置固定ステージ２０１（導電性素材）が設けられている。点灯装置１００ａ側と照明器具本体２００側とは、穴４０１、４０２を貫通する接続用ネジ３０２（図３）で締結される。器具固有インピーダンス２１０の両端は、一方が点灯装置固定ステージと接続され、他方が照明器具本体２００に接続されている。よって接続用ネジ３０２によって、点灯装置１００ａ、器具固有インピーダンス２１０及び照明器具本体２００が電気的に接続される。器具固有インピーダンスは、照明器具の形状の違いにより、その照明器具に適したインピーダンスを設定する。
【００１７】
（点灯装置１００ａの構成）
図４は、照明器具１０００Ａに内蔵される点灯装置１００ａのブロック図である。点灯装置１００ａは、商用電源ＡＣが入力され、入力された交流電流を全波整流する整流回路４０と、整流回路４０に接続され、放電灯ＬＡ１に高周波電流を供給する点灯回路３０ａと、点灯回路３０ａに点灯制御信号（点灯出力指示信号）を出力する点灯出力演算回路１０と、点灯出力演算回路１０と整流回路４０とに接続されるとともに、アースラグ端子Ｇを介して器具固有インピーダンス２１０に電気的に接続されるインピーダンス検知回路２０とを備える。
【００１８】
整流回路４０は、ノイズフィルタ（図示しない）と、ダイオードブリッジＤＢを備える。
【００１９】
点灯回路３０ａは、入力される電圧を昇圧するとともに平滑するアクティブフィルタ回路３１と、アクティブフィルタ回路３１が平滑した直流電圧を高周波交流電圧に変換するインバータ回路３２と、インバータ回路３２の発振を制御するインバータ制御回路３３ａと、インバータ回路３２の高周波交流電圧によって共振し、放電灯ＬＡ１に流れる電流を制御するインダクタＬ及びコンデンサＣ１とを備える。
【００２０】
（点灯出力演算回路１０）
点灯出力演算回路１０は、インバータ制御回路３３ａに放電灯ＬＡ１の点灯状態を指示する制御信号を出力する。点灯出力演算回路１０は、図４に示すように記憶部１１を備える。記憶部１１は後述のテーブル１２を不揮発的に記憶している。点灯出力演算回路１０としては、例えばマイクロコンピュータを用いる。
【００２１】
インバータ回路３２は、ＭＯＳ−ＦＥＴ（Ｑ１）、ＭＯＳ−ＦＥＴ（Ｑ２）を備え、インバータ制御回路３３ａのスイッチング信号によって、ＭＯＳ−ＦＥＴ（Ｑ１）、ＭＯＳ−ＦＥＴ（Ｑ２）が交互にオン／オフする。
【００２２】
（インピーダンス検知回路２０の構成）
インピーダンス検知回路２０は、一端が整流回路４０の負極側に接続されるコンデンサＣ２と、一端が、コンデンサＣ２の他端に接続され、他端が、アースラグ端子Ｇに接続されるコンデンサＣ３と、コンデンサＣ２に並列に接続される直列接続された抵抗Ｒ１、Ｒ２と、この抵抗Ｒ１と抵抗Ｒ２との接続点にアノード端子が接続され、点灯出力演算回路１０にカソード端子が接続されるダイオードＤ１とを備える。
【００２３】
（器具固有インピーダンス２１０）
アースラグ端子Ｇは、点灯装置１００ａの動作を安定させるために器具側のアース回路、もしくは照明器具本体２００に接地させる。図３でも述べたように器具固有インピーダンス２１０の両端は、それぞれ点灯装置固定ステージ２０１と、照明器具本体２００に接続されている。器具形状の違いにより、それぞれに適したインピーダンスを設定する。
なお、器具固有インピーダンス２１０として、抵抗、コンデンサなどの素子を用いることができる。
【００２４】
このアースラグ端子Ｇと、「器具側のアース回路」もしくは照明器具本体２００との間に、図２、図３に示したように、器具固有インピーダンス２１０を介在させると、器具固有インピーダンス２１０に電流が流れ、電圧が発生する。例えば図３の場合、点灯装置１００ａは、アースラグ端子Ｇ→接続用ネジ３０１→点灯装置外形ケース１０１ａ→接続用ネジ３０２→器具固有インピーダンス２１０→照明器具本体２００の経路で電気的に接続する。点灯装置１００ａが照明器具本体２００に接続された場合、インピーダンス検知回路２０は、「器具固有インピーダンス２１０に対応する電流または発生する電圧」（対応信号）を検知する。例えば照明器具１０００Ａの種類に応じて、介在させる器具固有インピーダンス２１０の値を変更することにより、器具固有インピーダンス２１０に流れる電流または発生する電圧が異なってくる。すなわち、器具固有インピーダンス２１０は器具固有インピーダンス２１０に応じた対応信号を出力し、点灯出力演算回路１０は、対応信号を入力して、対応信号に応じた制御信号を生成してインバータ制御回路３３ａに出力する。
【００２５】
（照明器具本体２００自体のインピーダンス）
なお、本実施の形態１では、照明器具本体２００とは別に器具固有インピーダンス２１０としてコンデンサ、抵抗などのインピーダンス素子を備える場合を説明したが、器具固有インピーダンス２１０は、照明器具本体２００自体が持つ固有のインピーダンスであってもよい。例えば、照明器具本体２００そのものの材質に起因するインピーダンス（抵抗率）を挙げることができる。
【００２６】
上記のように、インピーダンス検知回路２０は、器具固有インピーダンス２１０に応じて発生する「電流または電圧」（対応信号）を検知し、検知した結果を検知信号として点灯出力演算回路１０に出力する。なお、器具固有インピーダンス２１０として、抵抗、コンデンサなどの素子を用いることができる。
【００２７】
点灯出力演算回路１０は、入力された検知信号に応じて、点灯装置１００ａが照明器具１０００に組み込まれたかどうかを判断する。さらに、点灯出力演算回路１０は、どのような種類の照明器具１０００に組み込まれたかを判断するとともに、この判断した結果に基づいて演算して、放電灯ＬＡの点灯状態を制御する点灯制御信号を生成し、この点灯制御信号をインバータ制御回路２１３に出力する。
【００２８】
図５は、図４に示す点灯装置の点灯出力演算回路１０の動作を示すフローチャートである。
【００２９】
まず、点灯装置１００ａに商用電源ＡＣが供給されると、点灯出力演算回路１０の動作が開始する（ステップ１）。
【００３０】
点灯出力演算回路１０はインバータ制御回路３３ａの動作信号をインバータ制御回路３３ａから入力し、ランプが点灯したかを確認し、ランプが点灯していることを確認（ステップ２）すると、インピーダンス検知回路２０が所定の電圧を検出したかを判別（ステップ３）する。点灯出力演算回路１０は、点灯出力検出抵抗Ｒ１０に発生する所定電圧（または所定電流）を検出・入力して、ランプが点灯したかを確認し、ランプが点灯していることを確認（ステップ２）すると、インピーダンス検知回路２０が所定の電圧を検出したかを判別（ステップ３）する。
【００３１】
ステップ３で、点灯出力演算回路１０はインピーダンス検知回路２０を介して、所定の電圧を検知すると、この検知した所定の電圧に応じたインバータ回路３２の出力となるように、インバータ制御回路３３ａが出力する発振周波数を制御する制御信号を出力し、放電灯ＬＡ１の点灯周波数を調整（ステップ４）する。
【００３２】
ステップ３で、所定の電圧を検知しないとき、点灯装置１００ａに予め設定されている初期の点灯周波数となるように、インバータ制御回路３３ａが出力する発振周波数を制御する制御信号を出力（ステップ５）する。これは点灯装置１００ａを裸の状態（照明器具本体２００の内部に組み込まない電源別置タイプとして使用するような場合である。
【００３３】
（１）図６はテーブル１２の例を示す図である。テーブル１２は電圧範囲と駆動周波数との組を複数有する。
（２）図７は、図８〜図９に示す検出電圧Ｖの検出箇所を示す図である。以下に説明する図８〜図９の電圧は、直列接続の抵抗Ｒ１，Ｒ２の両端に発生する電圧である。
（３）図８は、タイプＡの照明器具（照明器具本体２００Ａに）における電圧波形である（点灯装置１００ａが照明器具本体２００Ａに取り付けられた場合）。
（４）図９は、タイプＢの照明器具における電圧波形である（点灯装置１００ａが照明器具本体２００Ｂに取り付けられた場合）。
（５）図１０は、照明器具本体２００に点灯装置１００ａを組み込まない場合（非接続の場合）の電圧波形である。
【００３４】
（タイプＡ）
図８は、例えば、器具固有インピーダンス２１０がほぼ０Ωである場合に、直列接続された抵抗Ｒ１、Ｒ２の両端に発生する電圧Ｖの電圧波形である。図８の場合は、図７の器具固有インピーダンス２１０の一端２１１とアースラグ端子Ｇとが接続されている。図９も同様である。図１０の場合は、接続されていない状態である。
図８の電圧波形では、ゼロピーク電圧がおよそ１２６Ｖ発生（図中のＨの長さが１２６Ｖに相当）しており、抵抗Ｒ１と抵抗Ｒ２とに分圧されて、インピーダンス検知回路２０は、およそ２７Ｖ（対応信号）を出力する。点灯出力演算回路１０は、インピーダンス検知回路２０が出力するこの２７Ｖの電圧を入力し、この入力した電圧を基にして、該当する放電灯ＬＡ１の点灯出力（調光率）を、記憶部１１に不揮発的に予め設定されているテーブル１２から読み出し、このテーブル１２から読み出した点灯出力（調光率）となる点灯制御信号（点灯出力指示信号）を、インバータ制御回路２１３に出力する。具体的には以下の様である。点灯出力演算回路１０はインピーダンス検知回路２０から２７Ｖを入力すると、テーブル１２を参照して２７Ｖの属する電圧範囲を検索し、検索の結果ヒットすると、その電圧範囲に対応する駆動周波数（例えばｆ２が該当とする）の点灯制御信号を生成してインバータ制御回路３３ａに出力する。インバータ制御回路３３ａは駆動周波数ｆ２でインバータ回路３２を駆動する。
【００３５】
（タイプＢ）
図９は、例えば、器具固有インピーダンス２１０が２７０ｋΩである場合に、直列接続された抵抗Ｒ１、Ｒ２の両端に発生する電圧の電圧波形である。この電圧波形では、ゼロピーク電圧がおよそ５２Ｖ発生（図中のＨの長さが５２Ｖに相当）しており、抵抗Ｒ１と抵抗Ｒ２に分圧されて、インピーダンス検知回路２０は、およそ１１Ｖ（対応信号）を出力する。点灯出力演算回路１０は、インピーダンス検知回路２０が出力するおよそ１１Ｖの電圧を入力し、タイプＡの場合と同様に、入力した電圧１１Ｖを基にして、該当する放電灯ＬＡ１の点灯出力（調光率）をテーブル１２から読み出し、テーブル１２から読み出した点灯出力（調光率）となる点灯制御信号をインバータ制御回路２１３に出力する。
【００３６】
このように、図８と図９とでは、器具固有インピーダンス２１０のインピーダンス値が異なることにより、インピーダンス検知回路２０が検知する電圧値が変わるので、照明器具本体（あるいは器具本体を構成部品とする照明器具）の種類を区別することができるので、特定した照明器具（あるいは照明器具本体）の種類に応じて、点灯出力（調光率）を変更することができる。
【００３７】
（照明器具本体の非接続）
図１０は、例えば、器具固有インピーダンス２１０がほぼ無限大である場合に、直列接続された抵抗Ｒ１、Ｒ２の両端に発生する電圧の電圧波形である。この電圧波形では、ゼロピーク電圧がほぼ０Ｖとなっており、抵抗Ｒ１と抵抗Ｒ２に分圧されて、インピーダンス検知回路２０が出力する電圧も、ほぼ０Ｖとなる。したがって、点灯出力演算回路１０は、インピーダンス検知回路２０の出力がほぼ０Ｖであるので、点灯装置１００ａが器具に組み込まれていない（照明器具本体２００に固定されていない）と判断し、予め設定されている初期（例えばテーブル１２のｆ１とする）の点灯出力（調光率）となる点灯制御信号を、インバータ制御回路２１３に出力する。
【００３８】
なお、図８〜図１０の例ではインピーダンス検知回路２０が器具固有インピーダンス２１０に応じた対応信号として電圧を検知する場合を示した。インピーダンス検知回路２０が電流を検知する場合については、器具固有インピーダンス２１０に一定電圧を印加したときに流れる電流を検知するとインピーダンス値の大小が判断できるので、この場合の器具固有インピーダンス２１０に流れる電流を検出することで、電圧検出の場合と同等の制御が可能である。
【００３９】
このように、点灯装置１００ａにインピーダンス検知回路２０および点灯出力演算回路１０を搭載することにより、例えば、インピーダンス検知回路２０で検知した電流、電圧を基に、点灯出力演算回路１０がインバータ制御回路２１３を制御すれば、組み込まれた照明器具の種類に対応した点灯出力（調光率）を出力できる。
【００４０】
したがって、一種類の点灯装置１００ａでも、インピーダンス検知回路２０及び点灯出力演算回路１０によって、点灯装置１００ａが接続される照明器具本体２００の形状を検出できるので、点灯装置は、様々な照明器具本体に対応した点灯出力を自動的に生成できる。
【００４１】
よって、それぞれの照明器具ごとに専用の点灯装置を搭載する必要がなく、同じ点灯装置を搭載できる。よって、照明器具と搭載する点灯装置との対応を管理する手間がなくなり、管理コストを抑えることができる。また、照明器具を組み立てる際にも、その照明器具に対応している点灯装置であるか否かを確認する工程を省くことができ、照明器具としての製造コストを抑えることができる。
【００４２】
実施の形態１の点灯装置１００ａによれば、点灯装置自体が照明器具本体に搭載されたか否かも判定できるので、照明器具本体に搭載されないような別置電源の場合にも使用できると共に、照明器具本体に搭載されない場合の点灯出力を簡易な構成で設定することができる。
なお、本実施の形態１では、ランプが点灯しているか否かの検出を、点灯出力検出抵抗Ｒ１０を用いて行っているが、点灯出力演算回路１０が、インバータ制御回路３３ａの動作信号をインバータ制御回路３３ａから入力して、ランプが点灯したかを確認し、ランプが点灯していることを確認してもよい。
【００４３】
なお以上の本実施の形態１では光源に放電灯を用いる場合を説明したが、放電灯に限定されず、光源にＬＥＤを用いてもよい。
図１１は光源にＬＥＤを用いる照明器具１０００Ｂを示す回路図である。照明器具１０００Ｂは、ＬＥＤを点灯させるための点灯回路３０ｂに、定電流回路３４と、定電流回路３４を制御する定電流制御回路３３ｂを備えている。点灯出力演算回路１０やインピーダンス検知回路２０の動作は図４の回路と同様である。このように、光源は、放電灯に限定されず、ＬＥＤやＥＬ（ＥｌｅｃｔｒｏＬｕｍｉｎｅｓｃｅｎｃｅ）などであってもよく、また、用いる光源の種類に応じて、点灯回路は適宜選定すればよい。この場合であっても、本実施の形態と同様の作用効果が得られる。
また、ＬＥＤを点灯させるための点灯回路３０ｂは、昇圧回路と定電流回路との組み合わせや、定電圧回路と、ＬＥＤに流れる電流制限用の電流制限抵抗との組み合わせであってもよい。
【符号の説明】
【００４４】
１０００Ａ，１０００Ｂ  照明器具、１００ａ，１００ｂ  点灯装置、１０  点灯出力演算回路、１１  記憶部、１２  テーブル、２０  インピーダンス検知回路、３０ａ，３０ｂ  点灯回路、３１  アクティブフィルタ回路、３２  インバータ回路、３３ａ  インバータ制御回路、３３ｂ  定電流制御回路、３４  定電流回路、３５  降圧回路、４０  整流回路、４０１，４０２  穴、２００  照明器具本体、２０３  ランプソケット、２１０  器具固有インピーダンス、２２０  反射板、ＡＣ  商用電源、ＤＢ  ダイオードブリッジ、Ｃ１〜Ｃ３  コンデンサ、Ｒ１，Ｒ２  抵抗、Ｇ  アースラグ端子、ＬＡ１  放電灯、ＬＡ２  ＬＥＤ、Ｒ１０  点灯検出用抵抗。
【図１】
0005414578.tif 000002
【図２】
0005414578.tif 000003
【図３】
0005414578.tif 000004
【図４】
0005414578.tif 000005
【図５】
0005414578.tif 000006
【図６】
0005414578.tif 000007
【図７】
0005414578.tif 000008
【図８】
0005414578.tif 000009
【図９】
0005414578.tif 000010
【図１０】
0005414578.tif 000011
【図１１】
0005414578.tif 000012